Podtech/llm-jp-corpus-v4-ja_patent huggingface dataset:
(57)【要約】      （修正有）【課題】顔面に密着したプリーツマスクの提供。【解決手段】プリーツを有するフィルターに接顔布を接合したプリーツマスクにおいて、接顔布がナイロン繊維、ポリエステル繊維、ポリプロピレン繊維等からなる伸縮性を有する生地で構成されていることを特徴とする密着性に優れたプリーツマスクである。【選択図】図２
0003105617.tif 000002
【実用新案登録請求の範囲】
【請求項１】
プリーツを有するフィルターに接顔布を接合したプリーツマスクにおいて、接顔布がナイロン繊維、ポリエステル繊維、ポリプロピレン繊維等からなる伸縮性を有する生地で構成されていることを特徴とする密着性に優れたプリーツマスク。
【請求項２】
前記プリーツの折り目を開いたときにできる空間に顔の輪郭に沿った保形具を挿入したことを特徴とする請求項１記載の密着性に優れたプリーツマスク。
【考案の詳細な説明】
【技術分野】
【０００１】
医療、食品衛生、一般産業分野、花粉症対策及び日常生活において、衛生上用いられるプリーツマスクに関する。
【背景技術】
【０００２】
通常マスクは、ガーゼ、不織布などのろ過材の内側に顔面に接触する接顔布とが接合されているが、最近、医療、食品衛生、一般産業分野や日常生活分野で、捕集対象の粒子の漏れ込みを防ぎ、また自分の呼気をろ過材以外の箇所から直接外気中に排出しないように、ろ過材にプリーツを設けたプリーツマスクが広く使用されるようになってきた。しかし、プリーツを有するフィルターに接顔布を接合すると、プリーツ（襞）があるため人間の顔の鼻や口部及び顎付近を覆いしめひもを耳にかけて装着しても鼻の両脇、口の両脇等の特に起伏のある箇所にすき間が開き易く、そのため、防護性能が悪くなる。また、鼻の両脇にすき間ができることで、そのすき間から呼気が抜けるため、メガネが曇るといった不具合がある。
【考案の開示】
【考案が解決しようとする課題】
【０００３】
本発明はろ過材にプリーツを設けたプリーツマスクにおいて、できるだけ、捕集対象の粒子の漏れ込みを防ぎ、また自分の呼気をろ過材以外の箇所から直接外気中に排出しないように、マスクの装着者の顔面に対し、密着性に優れた接顔部を有するマスクを提供する。
【課題を解決するための手段】
【０００４】
本考案は、プリーツを有するフィルターに接顔布を接合したプリーツマスクにおいて、接顔布がナイロン繊維、ポリエステル繊維、ポリプロピレン繊維等からなる伸縮性を有する生地で構成されていることを特徴とする密着性に優れたプリーツマスクである。そして、更に、前記プリーツの折り目を開いたときにできる空間に顔の輪郭に沿った保形具を挿入することによって顔面と接顔布との密着性が向上するので好ましい。
【考案の効果】
【０００５】
以上で述べたように、本考案に係るマスクは、接顔布が伸縮性を有する生地で構成されているので、肌触りが良好であり、顔面との密着性に優れる。そのため、粉じんや細菌などの粒子の漏れ込みを防ぎ易く、自分の呼気を直接外気中に排出しにくい構造が確保できた。
また、保形具を挿入したことにより、接顔布がプリーツマスクのろ過部に接触しないため、ろ過部の面積を無駄なく利用することができ、マスクの性能を有効に利用することが可能になる。また、口元に空間が生まれることにより、唇が直接ろ過部に触れることがない。
【考案を実施するための最良の形態】
【０００６】
本考案について詳細に述べる。
本考案において使用するフィルターの材質は不織布、ガーゼ等の通常のマスクの場合と異ならず、本考案はこれにプリーツを設けたものである。プリーツマスクの接顔布に使用する伸縮性を有する生地としては、ナイロン繊維、ポリエステル繊維、ポリプロピレン繊維等何れでもよい。この生地にポリウレタン或いはポリエステル等の軟質樹脂を張り合わせることで、弾力性をもち、肌触りが良好で粉じん、細菌などの粒子が透過しない素材となるので好ましい。この接顔布の生地はフィルターと接合する前に口辺及び鼻部が当たらないよう切断しておき、その後フィルターと接合する。フィルターと接顔布との接合手段として縫製したり、接着剤で接着したり或いは溶着したり等何れの手段でもよいが、気密性の点から溶着が好ましい。
また、プリーツマスクの折り目を開いたときにできる空間に顔の輪郭に沿った保形具を挿入することで、顔面との接顔布の生地に張りを持たせることができ、より密着性を増すことが可能となる。保形具の材質は、軟質のプラスチック樹脂を用いる。
本考案にかかるプリーツマスクを図をもって示す。図１はその外観の斜視図であり、図２は、顔面に装着した場合の断面図である。図において１はフィルタ、２は接顔布であり、フィルタ１にはプリーツ３が設けてある。また、フィルター１と接顔布２との間に保形具４を挿入する。そして、その両側にしめひも５が設けてある。
【実施例】
【０００７】
次に実施例として本考案のプリールマスクの一例の製造工程を図をもって説明する。
図３は本考案のプリーツマスクの製造工程を示した図である。まずプリーツを設けたフィルターの両側にしめひもをもうけ、他方、接顔布は鼻の両脇及び口の両脇等の起伏のある部分を切断し（ａ図参照）、次いで、このフィルターと接顔布との外周を溶着すると共に保形具を準備し（ｂ図参照）、最後にこのフィルターと接顔布との間に保形具を挿入する（ｃ図参照）。このような工程によって保形具を有する本考案のマスクが得られる。
【図面の簡単な説明】
【０００８】
【図１】本考案にかかるプリーツマスクの外観斜視図
【図２】顔面に装着した場合の断面図
【図３】本考案にかかるプリーツマスクの製造工程図
【符号の説明】
【０００９】
１  フィルタ      ２  接顔布      ３  プリーツ      ４  保形具
５  しめひも
【図１】
0003105617.tif 000003
【図２】
0003105617.tif 000004
【図３】
0003105617.tif 000005
(57)【要約】      （修正有）【課題】より効率的に電磁波を遮断する帯体を提供する。【解決手段】２つの電磁波遮断膜の間に銅箔を挟んで、３層のサンドイッチ状となる。これを表と裏に布を当て、ブラジャー式かタンクトップ式に肩から吊るす。この帯状のものの端部を布製ファスナーで固定する。即ち使用者は両肩に吊るし、心臓部分に帯体を当て、布製ファスナーで固定する。遮断膜は各約１２％、銅箔は約５０％、計約７４％の電磁波を遮断できる。【選択図】図１
0003105695.tif 000002
【実用新案登録請求の範囲】
【請求項１】
帯状の２つの電磁波遮断膜の間に銅箔を挟み３層とし、それを表裏共、布で保護し、その帯体の端部に布製ファスナーを設け、それを肩から吊し、その布製ファスナーで心臓部分にその帯体を当て固定可能な心臓に当る電磁波を遮断する帯体。
【考案の詳細な説明】
【技術分野】
【０００１】
本考案は、心臓に当る電磁波を遮断する帯体に関する。
【背景技術】
【０００２】
心臓に疾患を持つ人は多い。人工心臓の人、不整脈の為チップ埋め込みの人、心臓病の人等がある。電磁波発生は多く、電子レンジで２．４５ＧＨｚ、携帯電話である種のものは１．４５ＭＨｚ、他種のもので８．００ＭＨｚ等である。これらの電磁波に対する予防は殆んど行われていない。
【特許文献１】出願人は平成１５年６月２６日に出願し、実用新案登録第３０９８８３７号を得ているが本出願はそれの改良である。
【非特許文献１】特記すべきものは余りない。
【考案の開示】
【考案が解決しようとする課題】
【０００３】
本考案は、先の実用新案より、より効率的に電磁波を遮断する帯体を提供する。
【課題を解決するための手段】
【０００４】
本考案は、帯状の２つの電磁波遮断膜の間に銅箔を挟み３層とし、それを表裏共、布で保護し、その帯体の端部に布製ファスナーを設け、それを肩から吊し、その布製ファスナーで心臓部分にその帯体を当て、固定可能な心臓に当る電磁波を遮断する帯体に関する。
【考案の効果】
【０００５】
本考案は、２つの炭素を用いた遮断膜で約１２％、１２％で約２４％、銅箔で約５０％計約７４％の電磁波を遮断できる。これにより以前に出願人が提案したものより高性能となった。心臓の悪い人には正に高い効果を発する。
【考案を実施するための最良の形態】
【０００６】
本考案は、東京都大田区池上にあるフィーサ社がＭＮＣＮＴ型番２０で発売している厚み１/１００ｍｍ〜５/１０ｍｍの電磁波遮断膜を用いる。しかし、この膜は遮断率が約１２％である。この膜を２枚用い、２枚の膜の間に銅箔を挟む。サンドイッチ状に遮断膜１、銅箔２、遮断膜３と３層になる。
【０００７】
銅箔は遮断率約５０％であり、２枚の膜で１２％、１２％で２４％、銅箔が５０％であり、計約７４％の電磁波を遮断できる。
【０００８】
その３層の表裏に布を被せ使い易い様にする。Ａはその帯体である。
【０００９】
この３層を布で保護したものを心臓部分に当て、ブラジャー式又は、タンクトップ式に肩から吊るす。布４，５は端部の布製ファスナー６により、しっかりと固定される。
【００１０】
尚、数字は７，８は、ブラジャー式の場合の肩紐である。
【産業上の利用可能性】
【００１１】
心臓に当る電磁波を遮断するものは余りなく、広く利用されるものと思われる。
【図面の簡単な説明】
【００１２】
【図１】斜視図
【図２】断面図
【符号の説明】
【００１３】
１  遮断膜
２  銅箔
３  遮断膜
４  布
５  布
６  布製ファスナー
７  肩紐
８  肩紐
９  帯体
【図１】
0003105695.tif 000003
【図２】
0003105695.tif 000004
(57)【要約】【課題】  宝くじの保管及び抽選日失念を防止及び村興しのキャンペーン等に一役買うことができる宝くじ保管ホルダーに関する。【解決手段】  台紙２に宝くじ収納ケース６を設けるとともに、該台紙２に寺社仏閣などの表記３，４、５および抽選日７を記載した宝くじ保管ホルダー１を形成する。【選択図】  図１
0003105628.tif 000002
【実用新案登録請求の範囲】
【請求項１】
宝くじが収納可能な大きさの収納ケースを配設した台紙、該台紙に寺社仏閣の名称・鎮座地又は宝くじ年間予定記入カレンダー等を表記するとともに宝くじの抽選日の記入欄を設けたことを特徴とする宝くじ保管ホルダー。
【請求項２】
下部の所定箇所に下向きコ字状の切れ込みを形成し、該切り込みにより形成された舌片を前向きに傾斜させ、該舌片に宝くじ収納ケースを係合した台紙を形成し、該台紙に寺社仏閣の名称・鎮座地又は宝くじ年間予定カレンダー等を表記するとともに宝くじの抽選日の記入欄を設けたことを特徴とする宝くじ保管ホルダー。
【請求項３】
請求項１又は２記載の台紙の寺社仏閣の名称・鎮座地又は宝くじ年間予定カレンダーの表記位置に、寺社仏閣の写真あるいは宝くじの年間予定カレンダー等の挿入支持ケースを設けたことを特徴とする宝くじ保管ホルダー。
【請求項４】
前記宝くじの抽選日記入欄が、書込み及び拭き消しが容易な部材で形成されていることを特徴とする請求項１又は２記載の宝くじ保管ホルダー。
【考案の詳細な説明】
【技術分野】
【０００１】
この考案は宝くじの保管のほか、寺社や仏閣の社務所で授かるお札の家内安全・交通安全・商売繁盛祈願や厄除・などの護符としての機能を持たせた宝くじ保管ホルダーに関する。
【背景技術】
【０００２】
一般に寺社や仏閣の社務所で授かる家内安全・交通安全・商売繁盛や厄除・盗難・火難安全等を祈願した護符、お守り等は一枚の護符、あるいはその護符を封筒で包んだ形式のものから成り、それを神棚や仏壇に安置するか、各家の方位の柱や壁に取り付けている。
【０００３】
また、ジャンボ宝くじや年末宝くじ等の各種宝くじ、あるいは、福引き券などのくじ類は、抽選日までの保管する場所に困り、御利益を期待して神棚や仏壇に載置しているが、神棚や仏壇がない場合は、机の引き出し等に保管している。
なお、お札を祀る神棚などを有しない家庭において、お札を祀ることができるお札収納ケースに関する先行文献として以下の文献が知られている。
【特許文献１】特開平１０−３２３２７２号
【特許文献２】実開昭５７−１３７３９３号
【考案の開示】
【考案が解決しようとする課題】
【０００４】
上述の宝くじ等の置き場所では、抽選日等を失念することが多く、神棚や仏壇を有していない家庭では、保管場所によってはその保管場所を忘れる問題がある。
この考案は上記の課題を解決しようとするものである。
【課題を解決するための手段】
【０００５】
寺社・仏閣の名称・鎮座地等を表記し祈願した台紙を社務所からお札として授けかるについて、その台紙がその下部に、宝くじが収納可能な大きさの収納部を有するとともに、抽選日の記入欄を設けた宝くじ保管ホルダーに形成したことである。
【０００６】
台紙に傾斜した舌片を設け、該傾斜した舌片に宝くじ収納ケースを取付けることにより、宝くじの収納及び取り出しを容易にしたことである。この収納ケースは透明な合成樹脂などの部材で形成する。
また、台紙の上部に吊り下げ片を設け、下部に抽選日記入欄部は、書込み及び拭消し容易な部材で形成したものである。
なお、台紙の上部の寺社仏閣あるいは宝くじ年間予定カレンダーの表記位置に、寺社仏閣の写真あるいはカレンダーの挿入支持ケースを設け、該挿入支持ケースにカレンダーなどを挿入表記する。
さらに、宝くじの発売及び抽選日の予定カレンダーを表記して成る。
【考案の効果】
【０００７】
寺社、仏閣の社務所より授かった家内安全・交通安全・商売繁盛や厄除・盗難・火難安全等を祈願済みの護符の下部に設けられたホルダーに宝くじなどを収納保管することにより御利益を得るとともにくじの紛失を防ぐことができる。
【０００８】
また、抽選期日欄に抽選日を記入するとともに、さらに宝くじカレンダーを併記したものを、方位の良い柱等につりさげておくことにより、宝くじの紛失及び抽選日を忘れることを防げる。
さらに、宝くじの発売及び抽選日予定のカレンダーを付記することにより抽選日の失念を防げる。
【考案を実施するための最良の形態】
【０００９】
この考案の形態を実施例にもとづき図面を参照して説明する。
【実施例】
【００１０】
図１はこの考案の宝くじ保管ホルダーの一実施例の正面図であり、保管ホルダー１は台紙２の上部に、お札を授ける神社の正殿３を描き、その下に鎮座地（地名）４及び神社名前５を表示する。その下方に宝くじが収納可能な大きさから成る収納ケース６を配設し、さらに抽選日の日付欄７を設ける。日付欄７は記入した日付が容易に拭き消すことができる素材で形成する。
なお、８は壁や柱などに掛ける吊り下片、９は透孔である。
【００１１】
図３及び図４は他の実施例であり、台紙２の下部の所定位置に下向きコ字状の切り込み１０を形成し、該切り込み１０により形成された舌片１１を若干外方向に傾倒させ、該舌片に、透明な合成樹脂等の部材で形成した宝くじ収納ケース６を取り付ける。なお、図中１２は宝くじの発売及び抽選日の予定カレンダーである。
また、実施例において表記内容として金運に縁のある寺社の例を挙げたが、金運に関連する風評の立つ観光地等を表記してもよい。
【００１２】
次に図５及び図６は他の実施例で、台紙２の上部の神社仏閣等の表示部、例えば図１の正殿３の部位に写真あるいは宝くじ年間予定カレンダー等の挿入支持ケースを、透明な合成樹脂などの部材で形成し取り付ける。
【産業上の利用可能性】
【００１３】
この宝くじ保管ホルダーは、宝くじなどの金運に縁起があるとされている寺社等で授ける場合は、その寺社の所在する市町村の村おこしのキャンペーンの一つとして使用できる。
【図面の簡単な説明】
【００１４】
【図１】この考案の宝くじ保管ホルダーの一実施例も正面図である。
【図２】図１の中央縦断面図である。
【図３】他の実施例の正面図である。
【図４】図３の中央縦断面図である。
【図５】他の実施例の正面図である。
【図６】図５の中央縦断面図である。
【符号の説明】
【００１５】
１  宝くじ保管ホルダー
２  台紙
６  宝くじ収納ケース
７  抽選日記入欄
１０  切り込み部
１１  舌片
１３  カレンダー等の挿入支持ケース
【図１】
0003105628.tif 000003
【図２】
0003105628.tif 000004
【図３】
0003105628.tif 000005
【図４】
0003105628.tif 000006
【図５】
0003105628.tif 000007
【図６】
0003105628.tif 000008
(57)【要約】      （修正有）【課題】構造簡単で安価に製造できる配電盤等の扉ストッパー装置を提供する。【解決手段】配電盤等の本体１に、扉２を開閉自在に取付けると共に、ストッパー用のステー４により扉を開放状態に一時保持可能としたものにおいて、上記ステーの先端を下向き突部９に形成し、扉側には該ステーの先端８がスライド自在に嵌る断面凹形のスライドガイドを設し、かつ、同スライドガイドの底部１３には、ステーの下向き突部が嵌る孔１２を設けて開放状態で保持可能とした配電盤等の扉ストッパー装置。【選択図】図１
0003105624.tif 000002
【実用新案登録請求の範囲】
【請求項１】
配電盤等の本体（１）に、支点枢軸（３）により扉（２）を開閉自在に取付けると共に、基部（５）を本体（１）側に取付けたストッパー用のステー（４）により扉（２）を開放状態に保持可能としたものにおいて、上記ステー（４）の先端（８）を下向き突部（９）に形成し、扉（２）側には該ステー（４）の先端（８）がスライド自在に嵌める断面凹形のスライドガイド（１０）を長く設け、かつ、同スライドガイド（１０）の底部（１３）には、ステー（４）の下向き突部（９）が嵌める孔（１２）を設けて扉（２）を開放状態で保持可能としたことを特徴とする配電盤等の扉ストッパ装置。
【考案の詳細な説明】
【技術分野】
【０００１】
本考案は、配電盤等の本体に扉を開閉自在に取付けた配電盤の扉ストッパー装置に関するものであって、特に、扉の開放状態を一時的に保持可能どありながら、かつ、その保持状態を簡単な操作で解除可能としたものである。
【背景技術】
【０００２】
一般に配電盤は、配電盤内部の補修点検作業の容易化及び迅速化のため、また、強風や人体、物体の衝突等不慮の外力による扉閉鎖事故の危険防止のため、扉の開放状態を一時的に保持可能となっている。（例えば、特許文献１参照）
【０００３】
しかも、作業性に鑑み、保持操作及び保持解除操作が簡単にできる構造が要求されている。
【特許文献１】特開昭５６−１１７５０６号公報
【考案の開示】
【考案が解決しようとする課題】
【０００４】
従来構造では、ストッパー部材であるレバーが嵌合摺動するための上部長孔や下部長孔を、配電盤本体側に加工する必要があり、構造が複雑であると共に、製造原価が増大するという欠点がある。
【０００５】
本考案は、従来構造の欠点や問題点を解消し、構造簡単で安価に製造できる配電盤等の扉ストッパー装置を提供するにある。
【課題を解決するための手段】
【０００６】
本考案は、配電盤等の本体に支点枢軸により扉を開閉自在に取付けると共に、基部を本体側に取付けたストッパー用ステーにより扉を開放状態に保持可能としたものにおいて、同ステーの先端を下向き突部に形成し、扉側には該ステーの先端がスライド自在に嵌る断面凹形のスライドガイドを長く設け、かつ、同スライドガイドの底部には、ステーの下向き突部が嵌る孔を設けて扉を開放状態で保持可能とした配電盤等の扉ストッパー装置である。
【考案の効果】
【０００７】
本考案は配電盤等の本体に扉を開閉自在に取付けると共に、ストッパー用のステーにより扉を開放状態に保持可能とした配電盤において、上記ステーの先端を下向き突部に形成し、扉側にはステー先端がスライド自在に嵌る断面凹形のスライドガイドを長く設けたものであるから、スライドガイド部は、板金製の素材を折曲げ加工によって製作できるため、その加工が簡単であると共に安価に製造できるものである。
【０００８】
また、スライドガイドの底部には孔を設けており、したがって、扉側を順次開放状態にしていくとステー先端の下向き突部がその重みで自動的に嵌合して扉側を開放状態に保持でき、しかも扉の保持が確実にできると共に解除操作も容易である。
【考案を実施するための最良の形態】
【０００９】
本考案は配電盤等の本体に扉を開閉自在に取付けると共にストッパー用のステーにより扉を開放状態に保持可能とした配電盤において、上記ステーを下向き突部に形成したこと、及び扉側にはステー先端がスライド自在に嵌る断面凹形のスライドガイドを長く設けたこと、並びに、スライドガイドの底部には孔を設けて扉を開放状態で保持できるようにして、配電盤全体の製作が簡単、かつ、安価にできるものである。
【実施例】
【００１０】
図１及び図２は本考案装置の一実施例を示すものであって、１は配電盤Ａの本体で、扉２を支点枢軸３により開閉自在に取付けている。
【００１１】
４はストッパー用のステーで、基部５を本体１側に回動自在に取付けられており、、６はステー４の基部５を保持するステー固定金具、７は基部５に取付けた抜け防止用の割ピンである。
【００１２】
また、上記ステー４の先端８は、下向き突部９に形成されている。
【００１３】
１０は、扉側２に設けられたスライドガイドで、断面形状が凹形１１になっており、水平状態に長く取付けられていると共に、前記ステー４の下向き突部９がスライド自在に嵌っている。
【００１４】
１２は、スライドガイド１０の底部１３に設ける孔で、前記扉側２を開放状態で保持するときにはステー４の下向き突部９が嵌り込むように構成されている。
【００１５】
１４は、スライドガイド１０の上側に一体的に形成する上板、１５はスライドガイド１０を扉２に取付ける取付座、１６は配電盤Ａの本体１の下部に折曲げ状に形成した立上り部で、上記ステー固定金具６を取付けている。
【００１６】
本考案の実施例は上記のように構成されており、したがって、配電盤の本体１に対して扉２を閉状態ではストッパー用ステー４の先端５はスライドガイド１０の凹形１１に嵌った状態であり、扉２が順次開き状態になるとステー４の下向き突部９がスライドガイド１０の孔１２に嵌まり込んで扉２を開放状態で固定するものである。
【００１７】
なお、スライドガイド１０の底部１３に設ける孔１２を図３に示す如く複数個１７、１８設けることにより、扉２の開き角度を複数段に変えることができるものである。
【図面の簡単な説明】
【００１８】
【図１】本考装置の一実施例を示すものであって、配電盤の扉用ストッパー部を示す平断面図で、扉の閉状態と開き状態を示している。
【図２】図１のＩ−Ｉ断面図で、ストッパー用ステーの取付状態を示している。
【図３】本考案の他の実施例を示す平断面図である。
【符号の説明】
【００１９】
１    配電盤本体
２    扉
３    支点枢軸
４    ステー
５    基部
８    先端
９    下向き突部
１０  スライドガイド
１１  凹形
１２  孔
１３  底部
【図１】
0003105624.tif 000003
【図２】
0003105624.tif 000004
【図３】
0003105624.tif 000005
(57)【要約】      （修正有）【課題】コンテナ（プランター等）の理想的な土の保湿を長時間容易に出来る事。【解決手段】ポリエステル系のきめの細かい素材の中に保湿剤となるハイドロカルチャーを入れ、水を含むと団子状に膨らみ長く連なる保湿剤となり、多種多様な形の鉢に対応でき、植えこみの隙間の土をカバーすることで、強い日差しによる土の渇きから植物を守り、植物にとって適度な土の水分を長時間（２・３日）保つことができる。使用方法も水に１０分程浸しておくだけと、扱いやすいので利用の可能性も広がる。【選択図】図１
0003105683.tif 000002
【実用新案登録請求の範囲】
【請求項１】
ポリエステル系のきめ細かい水きりネットの中に、保湿剤としてハイドロカルチャーを入れ、直径２〜３ｃｍ程度の団子状に長くつながる形状にし、植木鉢やプランターの形や大きさに関係なく使用できる土の乾燥防止・土の保湿を長時間可能にした保湿できるグランドカバーである。
【考案の詳細な説明】
【技術分野】
【０００１】本考案は、コンテナ（鉢・プランター等）の土の保湿に関する。
【背景技術】
【０００２】旅行等・留守中の花の水やりや乾燥に弱い植物のための土乾燥防止の為に思案しました。
従来は、扱いも手軽なうえどこにでも使えるウォーターキーパーや、水の供給には有益である散水機も有り又水を蓄え供給することのできるプランターも有る。【０００３】しかし、ウォーターキーパーは容量が少なく長時間の保水が得にくく理想的な保湿が望めない。【０００４】散水機は大掛かりで比較的コストも掛かり使用場所にも制約がでる。【０００５】水供給出来るプランターはそれに限る為用途に応じて対応し難い。
【考案の開示】
【考案が解決しようとする課題】
【０００６】使用する場所プランターの大きさ・形に制約されず、比較的安価で扱いも簡単にできて長時間土の保湿を保つ点。
【課題を解決するための手段】
【０００７】鉢やプランターの形・大きさ・植物の配置（寄せ植え等）・ハンギングでも容易に土の保湿が可能になる様に、ポリエステル系のきめの細かい伸縮性の有る細長いネットの中に、保湿ゲルとしてハイドロカルチャーを入れ、直径２〜３ｃｍ程度の団子状が長くつながるような（図２参照）形状にした。使い方は１０分程度水に浸しておくだけなので扱いも簡単。水をかけた鉢やプランターの土の部分を覆い隠すように置くだけで、植物にとって理想的な土の保湿を長時間保てるので２・３日水やりの出来ない留守中等にも有益。何度も繰り返し使用もできる。上記課題を解決する。
【考案の効果】
【０００８】  本考案は、長く団子状につながる形状ゆえ、どのような鉢やプランターの形・大きさにも使用でき寄せ植え・ハンギング等コンテナガーデニング全般に容易に使える。
比較的安価な材料でできていて、使い方も簡単なので手軽に誰にでもどんな場所でも、使いやすく、理想的な保湿を長時間保てるので、土の渇きに弱い植物にも有益であり、小旅行程度の留守中、水遣りの心配をしなくても良い。
【考案を実施するための最良の形態】
【０００９】土の部分を全て覆い隠せるとより長時間保湿効果が得られる為、鉢のサイズに合わせてカットするのが良い。しぼんできたら１０分程水に浸して置くと水を含み何度でも繰り返し使用できる。
【実施例】
【００１０】図１の状態の物を図２の様に水に１０分以上浸すと図３のような状態に水を含み膨らむ。【００１１】図４のように使用したいプランターの土の部分に並べ植木に水をあげる。
【産業上の利用可能性】
【００１２】屋上緑化やマンションなどでのガーデニング
【図面の簡単な説明】
【００１３】
【図１】使用前の状態。ポリエステル系のきめの細かい伸縮性の有るネット（図１の１）の中に保湿剤となる乾燥したハイドロカルチャー（図１の２）が入っている。鉢等のサイズが小さい場合（図１の３）の部分からカットすれば中身が出ない。ネットはグリーン系か茶色が見た目に良い。
【図２】使用方法。水に１０分程浸しておく。
【図３】保湿剤が水を含み１０倍〜３０倍に膨らみ２〜３ｃｍ程度（図２の１）の団子状に、長く連なる。
【図４】実施例。プランターの土の表面を覆い隠すように並べ置き、水を与える。
【図１】
0003105683.tif 000003
【図２】
0003105683.tif 000004
【図３】
0003105683.tif 000005
【図４】
0003105683.tif 000006
(57)【要約】      （修正有）【課題】この考案は、炭素繊維を使用したショーツである。【解決手段】ショーツの股間部分を袋状にして、ここに炭素繊維シートを挿入する。股間部を袋状１にし、両横に開口部２を設けるか、縦の中央部にスライドファスナーによる開口部を設ける。この開口部より、袋状１部分に適合する形と寸法をした炭素繊維シートを装着して使用する。【選択図】図１
0003105684.tif 000002
【実用新案登録請求の範囲】
【請求項１】
（イ）ショーツの股間部分を、両横に開口部（２）のある袋状（１）にする。
（ロ）袋状（１）部分の形と寸法に適合した炭素繊維シート（４）を、開口部（２）より挿入して着脱する。
以上のごとく構成された炭素繊維を使用したパンティ類
【請求項２】
開口部（２）のかわりに、袋状（１）部分の中央にスライドファスナー（３）を取り付けた、請求項１の炭素繊維を使用したショーツ。
【請求項３】
炭素繊維シート（４）を、袋状（１）部分に入れて縫着した、請求項１の炭素繊維を使用したショーツ。
【考案の詳細な説明】
【考案の詳細な説明】
【技術分野】
【０００１】  この考案は、炭素繊維を使用したショーツに関するものである。
【背景技術】
【０００２】  股間部分に、水分を吸収する素材を配した失禁用パンツはあるが、本考案のごときものは無い。
【考案が解決しようとする課題】
【０００３】  本考案は、女性の生理時における生理臭の脱臭及び生理痛の緩和を主眼とし、生理時以外においても、快適な使用感と健康維持が可能なショーツを、遠赤外線効果、脱臭効果と抗菌作用を有する炭素繊維を使用して開発する。
【課題を解決するための手段】
【０００４】    いま、その解決手段を図面をおいながら説明すれば、
図１の股間部を袋状（１）にし、この袋状（１）部分に炭素繊維シート（４）を装着するための開口部（２）を両横に設けるか、図２のごとく、中央部分の表裏いずれかの縦にスライドファスナー（３）を装着した開口部を設ける。
炭素繊維シート（４）は、フエルト状又は布状の炭素繊維（５）を、袋状（１）部分に装着するに適合した形と寸法に裁断し、表裏に布地（６）を配し縫製する。
【考案実施の形態】
【０００５】  股間部分の袋状（１）部分に、炭素繊維シート（４）を、開口部（２）又は、スライドファスナー（３）の部分から挿入し装着して使用する。
【考案の効果】
【０００６】▲１▼生理臭を、炭素繊維が吸着し消臭する。
▲２▼生理時のストレス解消の他、生理痛の緩和、安眠等、健康上プラスに作用する。
▲３▼洗濯時に炭素繊維シートを取り外し、適合した洗剤で別途に洗濯することにより、品質の低下を防ぐことができる。
【図面の簡単な説明】
【０００７】
【図１】本考案のショーツの股間部分を示す図と、開口部（２）を両側につけた股間部分の平面図。
【図２】本考案の開口部（２）を、スライドファスナー（３）に変更した平面図。
【図３】本考案の袋状（１）部分に、炭素繊維を挿入して縫着した平面図。
【図４】炭素繊維シート
【図１】
0003105684.tif 000003
【図２】
0003105684.tif 000004
【図３】
0003105684.tif 000005
【図４】
0003105684.tif 000006
(57)【要約】      （修正有）【課題】コンビニやスーパーマーケットやデパート等の食料品売り場の食品や弁当等のフタがセロハンテープで止められていて大変開けにくく、又、プラスチック、ビニール、セルロイド、ポリエチレン、ガラス、金属類等に粘着されたセロハンテープが大変はがしにくいので簡単にはがしやすく工夫したセロハンテープを提供する。【解決手段】セロハンテープに糊の付着してある部分１と糊の付着してない部分２を作り、食品のパックや弁当等のフタを封印してあるセロハンテープの端の糊の付着してない部分を指でつまんで引っ張るだけで簡単に開けられるように工夫したものである。又、プラスチック、ビニール、セルロイド、ポリエチレン、ガラス、金属類等に粘着されたセロハンテープを簡単にはがしやすく工夫したものである。【選択図】図１
0003105681.tif 000002
【実用新案登録請求の範囲】
【請求項１】
セロハンテープに糊の付着している部分と付着していない部分をつくり使用後のセロハンテープをはがし易くしたセロハンテープ。
【請求項２】
セロハンテープの使用用途に応じて、糊の付着している部分と付着していない部分の割合を色々な割合に変えて作ったセロハンテープ。
【請求項３】
糊またはセロハンテープに着色をして、糊の付着している部分と付着していない部分を見分け易くしたセロハンテープ。
【考案の詳細な説明】
【考案の詳細な説明】
セロハンテープに糊の付着している部分と糊の付着していない部分を作り、使用用途に応じて糊の付着している部分と付着していない部分の割合を変え、糊またはテープに着色をして糊の付着した部分と付着していない部分を分かりやすくしたもの。
【考案が解決しようとする課題】
プラスチック、ビニール、セルロイド、ガラス、金属面に粘着されたセロハンテープは薄くて大変はがしにくいので、糊の付着していない部分を作ることによって簡単に、はがしやすく工夫したもの。
【課題を解決するための手段】
セロハンテープに糊の付着している部分と糊の付着していない部分を作り、セロハンテープをはがす時に糊の付着していない部分をつまんで簡単にはがせるようにしたもの。
【考案の効果】
子供や年寄りでも、爪や指先にあまり力を入れなくても、粘着されたセロハンテープが簡単にはがす事が出来る。
【図面の簡単な説明】
【図１】糊の付着している部分が、付着していない部分より広いテープ。
【図２】糊の付着している部分が、付着していない部分より狭いテープ。
【図３】糊が真ん中に付着していて、両端に付着していないテープ。
【図４】糊が両端に付着していて、真ん中に付着していないテープ。
【符号の説明】
１は糊の付着している部分    ２は糊の付着していない部分
【図１】
0003105681.tif 000003
【図２】
0003105681.tif 000004
【図３】
0003105681.tif 000005
【図４】
0003105681.tif 000006
(57)【要約】【課題】自転車走行時に、前籠の荷物の持ち手部分に本体を通し、さらにハンドル又はブレーキワイヤーに通して、ひったくりの予防をする荷物盗難防止具を提供する。【解決手段】ベルトをナイロン製にし、結合部分をプラスチック製のパーツにする。ベルトとパーツの接合部分はベルトを折り返してから接着剤で接着し、さらに縫製を施す。【選択図】  図３
0003105685.tif 000002
【実用新案登録請求の範囲】
【請求項１】
ナイロン製ベルトの両端にプラスチック製のパーツを設け、結合してリング状にする事により、自転車走行時における前籠荷物のひったくりを予防する事を特徴とする荷物盗難防止具。
【考案の詳細な説明】
【技術分野】
【０００１】  本考案は、ナイロン製ベルトの両端をプラスチック製のパーツで結合した、自転車走行時における前籠の荷物盗難防止具に関するものである。
【背景技術】
【０００２】  従来は、防犯ネットや金属製で結合部がダイヤル式の重厚な物やプラスチック製でＳ字型のリング状でない盗難防止具があった。
【考案の開示】
【考案が解決しようとする課題】
【０００３】  そのために、つぎのような問題点があった。
（イ）ネット使用時に前籠の縁に掛ける作業とネット使用後に前籠の縁から外す作業が必要だった。
（ロ）ダイヤル式の為、開錠番号に合わせる作業が必要だった。
（ハ）Ｓ字型の為、振動があると外れ易かった。
本考案は、これらの問題点を解決するためになされたものである。
【課題を解決するための手段】
【０００４】  ナイロン製ベルトの先端部をプラスチック製のパーツ取付部に通し、折り返してから接着剤で接着し、さらに縫製する。
プラスチック製のパーツで結合する。
【考案の効果】
【０００５】  プラスチック製のパーツで結合することにより、脱着の作業が飛躍的に簡素化（外す際は親指と人差し指のみで可能）され、時間の無い朝の出勤時でもスムーズな脱着が出来る。
ナイロン製ベルトを使用することにより、軽量化が図れる。
ナイロン製ベルトを接着剤で接着し、さらに縫製する事により外部からの衝撃（振動及びひったくり）によって外れる事が無くなる。
【考案を実施するための最良の形態】
【０００６】以下、本考案の実施の形態について説明する。
（イ）本体（１）のベルト部分にナイロン製ベルト（２）を使用する。
（ロ）本体（１）の結合部分にプラスチック製のパーツ（３）を使用する。
本考案は以上のような構成で、これを使用するときは、本体（１）を荷物の持ち手部分（４）に通し、さらに本体（１）を自転車のハンドル（５）又はブレーキワイヤー（６）に通し、プラスチック製のパーツ（３）を結合する。
軽量の為、未使用時には図４に示すように、本体（１）を荷物の持ち手部分（４）に通したまま移動する事が出来る。
また、ナイロン製ベルト（２）使用の為、未使用時には本体（１）を小さく折り畳んでバッグ等に収納する事も出来る。
さらに、本体（１）を多種多様な色彩及び模様にする事により携帯性のあるアクセサリーとして使用する事も出来る。
【図面の簡単な説明】
【０００７】
【図１】本考案の斜視図（結合時）
【図２】本考案の斜視図（未結合時）
【図３】本考案の使用状態を示す斜視図
【図４】本考案の他の実施例を示す斜視図
【符号の説明】
【０００８】    １  本体
２  ナイロン製ベルト
３  プラスチック製のパーツ
４  荷物の持ち手部分
５  ハンドル
６  ブレーキワイヤー
【図１】
0003105685.tif 000003
【図２】
0003105685.tif 000004
【図３】
0003105685.tif 000005
【図４】
0003105685.tif 000006
(57)【要約】      （修正有）【課題】宴会等で料理をもてなす際に使用する比較的大きなプラスチック製の使い捨て容器の使用済み後、比較的簡単に折り畳んだり、或いは分割したりすることができ、取り扱い上極めて便利な包装用容器の提供。【解決手段】プラスチック製で、収納箇所となる複数の凹部を一体形成してなる包装用容器に於いて、隣接する凹部と凹部の立上がり仕切壁上面に対し、ミシン目を設ける。また、複数の凹部を取り囲むように縁枠片が形成されてなり、凹部間の立上がり仕切壁上面のミシン目が、該縁枠片まで到達したものとする。【選択図】図１
0003105652.tif 000002
【実用新案登録請求の範囲】
【請求項１】
プラスチック製で、収納箇所となる複数の凹部を一体形成してなる包装用容器に於いて、隣接する凹部と凹部の立上り仕切壁上面に対し、ミシン目を設けたことを特徴とするプラスチック製包装用容器。
【請求項２】
複数の凹部を取囲むように縁枠片が形成されてなり、上記凹部間の立上り仕切壁上面のミシン目が、該縁枠片まで到達したものとなしてあることを特徴とする請求項１記載のプラスチック製包装用容器。
【請求項３】
上記立上り仕切壁上面に穿設するミシン目は、容器の全体形状を凡そ１／２〜１／４程度に縮小可能なさしめる範囲で部分的に穿設されることを特徴とした請求項１又は２記載のプラスチック製包装用容器。
【請求項４】
請求項１，２又は３記載のプラスチック製包装用容器は、平面視面積を凡そ６００ｃｍ２〜１２００ｃｍ２となされたことを特徴とする会席料理膳であること。
【考案の詳細な説明】
【技術分野】
【０００１】
本考案は、プラスチック製包装用容器に関するものである。
【背景技術】
【０００２】
近年では各種会合や宴会でもてなす料理を比較的大きなプラスチック製の使い捨て容器に詰めて提供する場合が多く、残った料理はそのまま各家庭に持ち帰ることができるものの、大きな嵩張りのため持ち帰りに不便である。そして、これら使用済み容器は適宜ゴミ収集日に他のものと一緒にまとめ、ゴミ袋などへ入れて廃棄することが行われるのである。
【特許文献１】特開２００２−２２５９６４
【考案の開示】
【考案が解決しようとする課題】
【０００３】
ところで、これらのプラスチック製包装用容器をゴミとして廃棄したり、或いは再生用に回収したりするにしても、プラスチックの弾性力のため折畳み難く、従って使用済み後の取扱いが非常に不便であるという問題がある。
本考案は、係る問題点を解決せんとするものであって、即ち使用済み後は比較的簡単に折り畳んだり、或いは分割したりすることができることから、取扱い上に極めて便利ならしめるのである。
【課題を解決するための手段】
【０００４】
プラスチック製で、収納箇所となる複数の凹部を一体形成してなる包装用容器に於いて、隣接する凹部と凹部の立上り仕切壁上面に対し、ミシン目を設けたことを特徴とする。このさい、隣接し合う凹部間の立上がり壁上面のミシン目は、凹部全体を取囲むように形成される縁枠片まで到達させるようになしたりする。
【考案の効果】
【０００５】
本考案は以上の通り構成するものであって、本考案に係る包装用容器の使用後はミシン目の箇所を横方向へ少し力を入れて引張るようにするだけで、簡単に引き裂かれるものとなるのであり、細かくは内方に形成された凹部単位のものとすることができるが、その縮小大きさの程度はゴミ袋や、その他の関係で適宜になし得る。このさい、引き裂くことなくミシン目箇所で折り込むようにすることも可能であり、プラスチックの弾性力を減殺して簡便に外形の縮小化を図ることができるものとなる。なお、ミシン目が凹部全体を取囲んでいる縁枠片まで到達させたものでは、上記作業がより簡便になし得られる上で優れたものとなる。
【考案を実施するための最良の形態】
【０００６】
図１は本考案に係るプラスチック製包装用容器１の全体斜視図である。２，２’，２”，・・・は収納箇所を形成した凹部であって、これらは金型を使用した成形時に一体的に形成されるものとなる。このさい、３は各凹部２，２’，２”，・・・を区分けする立上り壁であって、その上面には通常３ｍｍ〜６ｍｍ程度の巾帯４が形成されるものとなるが、本考案品では該巾４に対しミシン目５が穿設されたものとなされる。
【０００７】
上記ミシン目は成形後に別途器具の使用で穿設させるようになしても良いが、成形時に使用する金型に細工を施すことにより同時に形成させるようにすることができる。
【０００８】
図２は他の例を示すものであって、上記例のミシン目５を凹部２，２’，２”，・・・の全体を取囲むように形成される縁枠片６まで到達するように穿設した例である。
【０００９】
上記の各例では各凹部２，２’，２”，・・・を区画する立上り仕切壁３の上面に於ける巾帯４の全てに対し、ミシン目５を穿設したものを示したが、図３に示す如く部分的に穿設するようになしても良い。この理由は本考案は会席料理膳の如く極めて大きなものをミシン目箇所で折り込んだり、引き裂いたりして凡そ１／２〜１／４程度に縮小されれば良いのであり、従ってこれを目安にした部分的なミシン目の穿設にすることを含め、本考案実施の範囲内とする。
【００１０】
本考案は、とりわけ近年豪華に大きくされる傾向の会席料理膳等の使用に対し、著効を奏せしめる。而して、料理の収納された各凹部２，２’，２”，・・・がミシン目箇所で分離可能となることは、部分的な切り離しによる持ち帰りも可能にしたりする上で優れたものとなる。
【図面の簡単な説明】
【００１１】
【図１】本考案品の全体斜視図である。
【図２】他の例の斜視図である。
【図３】他の例の斜視図である。
【符号の説明】
【００１２】
１      プラスチック製包装用容器
２，２’２”，・・・  凹部
３      立上り仕切壁
４      巾帯
５      ミシン目
【図１】
0003105652.tif 000003
【図２】
0003105652.tif 000004
【図３】
0003105652.tif 000005
(57)【要約】【課題】本考案は生分解性樹脂製のひょうたん型の農園芸用結束クリップである。【解決手段】本考案の農園芸用結束クリップは、１の大小の径をもつひょうたん型で、２ａ、２ｂのカギヅメ止め具をはずしひょうたん型を開き、一方に枝や茎一方に支柱を入れ、２ａ，２を止め結束する。生分解性樹脂製であるので、使用後は土に戻り環境への負荷が少ない。【選択図】図１
0003105219.tif 000002
【実用新案登録請求の範囲】
【請求項１】
生分解性樹脂で作った、大小の異なった径からなるひょうたん型で、一方の端にカギヅメ型の止め具をつけた、農園芸用の支柱に、枝や茎を結束するクリップ。
【考案の詳細な説明】
【技術分野】
【０００１】本考案は、生分解性樹脂を使った農園芸用の、茎や枝を支柱などに結束するための、ひょうたん型のクリップである。
【背景技術】
【０００２】従来の農園芸用の支柱に植物の茎や枝を結束する物は、紙、樹脂などによる粘着テープや針金を樹脂などで被った帯状の物、樹脂で作ったクリップがある。
【考案の開示】
【考案が解決しようとする課題】
【０００３】紙、樹脂などによる粘着テープは、切れやすく劣化しやすい。針金を樹脂などで被った物、従来の樹脂のクリップは結束に手間がかかる。また、使用後に、焼却できない物がある。
【課題を解決するための手段】
【０００４】成分解性樹脂製の大小の異なった径からなる、ひょうたん型の一方の端にカギヅメ型の止め具を付け、農園芸用の支柱に茎や枝を結束しやすくした。使用後は、土に戻り処分が容易である。
【考案の効果】
【０００５】大小の異なった径からなるひょうたん型であるので太さの異なる支柱に広く対応し、使用できる。又、一方の端のカギヅメ型の止め具で、容易に脱着できる。成分解性樹脂製なので使用後は土に戻り、処分が容易であり、環境への負荷が少ない。
【考案を実施するための形態】
【０００６】成分解性樹脂製の、大小径の違うひょうたん型の一方の端にカギヅメ型の止め具を付け、農園芸用の支柱に茎や枝を結束できるようにする。大小の径にする事により、支柱、茎や枝の太さに対応できる。生分解性樹脂で作る事により、使用後は上に戻り環境への負荷が、少ない。
【実施例】
【０００７】以下、添付図面に従って一実施例を説明する。１は生分解性樹脂で作ったひょうたん型クリップの本体、２ａ、２ｂは本体の一方の端に付けたカギヅメ型止め具であり、２ａを２ｂから外しひょうたん型を開き、支柱、茎や枝を挟み込み、２ａを２ｂに止め結束する。
【図面の簡単な説明】
【０００８】
【図１】生分解性樹脂製の農園芸用ひょうたん型クリップの平面図である。
【符号の説明】
【０００９】１  生分解性樹脂を使った農園芸用ひょうたん型クリップの本体。
２  カギヅメ型止め具。
【図１】
0003105219.tif 000003
(57)【要約】      （修正有）【課題】流入抵抗の軽減・流入速度の向上・整流効率の向上ができるスパイラルファンネルの提供。【解決手段】ファンネル内壁部に螺旋状の凹凸を数ヶ所加える。【選択図】図１
0003105220.tif 000002
【実用新案登録請求の範囲】
【請求項１】
キャブレター本体に取り付けるファンネルにおいて
空気の流入方向に数ケ所の螺旋状の凹凸をファンネル内壁部につけることで整流効果・流入速度・流入効率を向上させるものである
【考案の詳細な説明】
【技術分野】
【０００１】本考案はファンネル内壁部に螺旋状の凹凸を数ヶ所入れることで空気の流入効率向上に関するものである
【背景技術】
【０００２】凹部がキャブレター口径内の空気取り入れ口の穴にくるように工夫・改良を重ねた。
【考案の開示】
【考案が解決しようとする課題】
【０００３】従来のファンネルは構造上流入の再、乱流も発生し充分な流入量を得るのに時間がかかった。また多量の空気を得るためには流入速度が遅いという問題があった。
【課題を解決するための手段】
【０００４】本考案はファンネル内壁部に螺旋状の凹凸を加えることで流入抵抗の軽減・流入速度の向上・整流効率の向上ができることを最も主要な特徴とする
（
【考案の効果】）【０００５】本考案を採用した場合、流入効率が上がる為トルクアップ・レブ回転数のアップが見込まれ、燃焼効率もあがる。
（
【考案を実施する為の最良の形態】
）
【０００６】ファンネル内壁部に螺旋状の凹凸を数ヶ所入れることで実現できた。螺旋状の凹凸は大径側から小径側へ構成されキャブレター本体の吸入口径内にある空気取り入れ口の穴に凹部がくるように位置を定めた。そうすることで流入速度・流入効率をあげることが出来る。
（
【産業上の利用可能性】）【０００７】本考案は画期的な構造レイアウトであり、これから広く他分野でも利用されていく技法であると考えられる。
【図面の簡単な説明】
【０００８】
【図１】本考案実施例の北半球で使用する物の断面図であり大径側から小径側へ時計回りの螺旋状凹凸数ヶ所を示した図である。
【図２】本考案実施例の大径側からみた図であり螺旋状凹凸のレイアウトを示した図である。
【図１】
0003105220.tif 000003
【図２】
0003105220.tif 000004
(57)【要約】【課題】  火葬炉の主燃室において側壁の庇部よりも上側部分の耐久性及び輻射熱による燃焼効率の向上を図ることである。【解決手段】  台車（８）を収納したまま火葬する主燃室（３）の左右側壁（１６）に耐火ブロックの庇部（１７）を内向きに突出し、台車（８）の左右側縁部の上方を隙間（２１）を介して庇部（１７）で覆い、側壁（１６）における庇部（１７）よりも上側を、内側のセラミックファイバー（２０）と外側の耐火ブロック（１９）が重なり合う複層構造にしてあることを特徴とする火葬炉。【選択図】      図１
0003105212.tif 000002
【実用新案登録請求の範囲】
【請求項１】
台車（８）を収納したまま火葬する主燃室（３）の左右側壁（１６）から耐火ブロックの庇部（１７）を内向きに突出し、台車（８）の左右側縁部の上方を隙間（２１）を介して庇部（１７）で覆い、側壁（１６）における庇部（１７）よりも上側を、内側のセラミックファイバー（２０）と外側の耐火ブロック（１９）が重なり合う複層構造にしてあることを特徴とする火葬炉。
【考案の詳細な説明】
【技術分野】
【０００１】
本考案は、台車の上に柩を載せたままで火葬する火葬炉において、その主燃室の側壁の構造に関する。
【背景技術】
【０００２】
台車式の火葬炉では、台車をレールに沿って炉内の主燃室に出し入れする必要があることから、平面視して、主燃室の左右側壁の間隔を台車の横幅よりも広く形成し、台車の横には側壁との間に隙間をあけてある。ところが、台車上の被火葬体をバーナーで燃焼すると、その勢いで被火葬体の粉状化された細片が飛ばされて、台車横の隙間から落下して床に溜まり、レールに沿った台車の走行を阻害するので、火葬処理後に細片を取り除く手間がかかった。また、台車よりも上方の熱が、対流によって台車横の隙間から真下に向かい、台車の車輪の焼損を招くこともあった。そこで、かかる問題を解消すべく、主燃室の側壁から庇部を内向きに突出し、その庇部で台車の側縁部の上方を隙間をあけて覆う火葬炉が開発されている（登録実用新案第３０２６８４３号）。
【０００３】
ところが、上述した火葬炉は、側壁における庇部よりも上側を耐火ブロックで形成してあるが、主燃室は非常に高温となるので、庇部よりも上側の耐火ブロックの保護が十分とは言えず、耐久性を短くする要因となった。また、燃焼時には、庇部よりも上側の耐火ブロックからは輻射熱が生ずるが、輻射熱による燃焼効率の向上は十分とは言い難い。
【考案の開示】
【考案が解決しようとする課題】
【０００４】
本考案は上記実情を考慮して開発されたもので、その課題とするところは、側壁の庇部よりも上側部分の耐久性及び輻射熱による燃焼効率の向上を図ることである。
【課題を解決するための手段】
【０００５】
本考案は、台車を収納したまま火葬する主燃室の左右側壁から耐火ブロックの庇部を内向きに突出し、台車の両側縁部の上方を隙間を介して庇部で覆う火葬炉を前提とする。そして、側壁における庇部よりも上側を、内側のセラミックファイバーと外側の耐火ブロックが重なり合う複層構造にしてあることを特徴とする。
【考案の効果】
【０００６】
本考案は、主燃室に台車が出入りする際に擦れる可能性のある庇部を耐火ブロックで形成し、その耐火ブロックの硬度によって庇部が摩耗するのを防止することに加え、側壁における庇部よりも上側を、内側のセラミックファイバーと外側の耐火ブロックが重なり合う複層構造にしてあるので、内側のセラミックファイバーによって、外側の耐火ブロックを燃焼熱から保護すると共に、輻射熱の増大による燃焼効率の向上が得られる。
【考案を実施するための最良の形態】
【０００７】
本考案の火葬炉は図１又は図２に示すように、炉体１にバーナー２を取り付けたものである。炉体１は、平面視して長方形をなすもので、下部には主燃室３を設け、上部には再燃室４を設けてある。主燃室３の前面に有する出入り口５を防火扉６で開閉可能に設け、床面にはレール７を前後方向に沿って設け、レール７の延長方向に沿って台車８を移動可能に設ける。また、主燃室３の後壁９にはバーナー用の抜穴１０をあけ、その抜穴１０にバーナー２の先部を首振り可能に収容してある。主燃室３の後部には再燃室４に通じる連絡路１１を設けてあり、バーナー２によって火葬した際に発生する未燃焼ガスが連絡路１１を経て再燃室４に導かれる。
【０００８】
主燃室３はその上部空間を火葬用の燃焼空間部１２とすると共に、その下部空間を台車収容空間部１３としてある。燃焼空間部１２の上部は、火葬時に発生するガスを長く滞留させる滞留空間部１４とし、滞留空間部１４の後方と連絡路１１の入口側を隔壁１５で前後に仕切ってある。また、台車収容空間部１３は、主燃室３の左右側壁１６に触れることなく、台車８を出し入れできる広さに形成してある。
【０００９】
側壁１６は、燃焼空間部１２と台車収容空間部１３との境目に庇部１７を内向きに突出したもので、庇部１７よりも上側（燃焼空間部１２に相当する部分）を複層構造、即ち、最も外側の耐火断熱ブロック１８とその内側の耐火ブロック１９と最も内側のセラミックファイバー２０からなる三層構造に形成してある。セラミックファイバー２０は、板状であって、耐火ブロック１９に接着剤で貼り付ける。
【００１０】
庇部１７は耐火ブロックであって、その内面側を傾斜面としてあり、その傾斜状態は上から下に向かって徐々に内側に突出する状態となっている。また、庇部１７の上端は、直ぐ上側のセラミックファイバー２０と面一に形成し、庇部１７の底面と台車８の左右側縁部上面との間には僅かに隙間２１が設けてある。なお、庇部１７の外側には側壁１６の一部である断熱耐火ブロックを設けてある。
【００１１】
なお、主燃室３の天井も側壁１６と同様に、耐火ブロック２２の内側（図中、下側）にセラミックファイバー２３を設けた複層構造にしてある。
【図面の簡単な説明】
【００１２】
【図１】本発明の火葬炉を正面視する要部断面図である。
【図２】本発明の火葬炉を側面視する要部断面図である。
【符号の説明】
【００１３】
３  主燃室
８  台車
１６  側壁
１７  庇部
１９  耐火ブロック
２０  セラミックファイバー
２１  隙間
【図１】
0003105212.tif 000003
【図２】
0003105212.tif 000004